(57)【特許請求の範囲】
【請求項１】
調剤薬局側における調剤薬の薬品データベースを有するレセプトコンピュータと、市販薬局側における市販薬の成分データベースを有するＰＯＳサーバと、これらレセプトコンピュータ及びＰＯＳサーバは相互に通信可能とせず、前記レセプトコンピュータと前記ＰＯＳサーバとに通信可能で禁忌データベースを有したホストコンピュータと、調剤薬局側に設置された際には前記レセプトコンピュータに、市販薬局側に設置された際には前記ＰＯＳサーバに、それぞれ通信可能とされると共に前記ホストコンピュータとの通信を可能としたＰＯＳ端末とにより構成され、
前記ＰＯＳ端末には、客情報、市販薬又は調剤薬の情報を入力する入力部と、この入力部で入力された情報に基づいて、調剤薬局側であれば前記薬品データベースから、市販薬局側であれば前記成分データベースから、薬の成分情報を読み出す読出部と、この読出部により読み出した薬の成分情報を客情報と共に前記ホストコンピュータへ送る送信部と、前記ホストコンピュータから出力された情報を受信する受信部と、精算及び成分と薬品の組み合わせの適否の情報を表示する表示部と、を備え、
さらに、前記ホストコンピュータには、調剤薬局側からの客情報の問い合わせに基づいて市販薬局側に有する当該客に関する薬の成分情報を読み出すべく前記ＰＯＳサーバに、市販薬局側からの客情報の問い合わせに基づいて調剤薬局側に有する当該客に関する薬の成分情報を読み出すべく前記レセプトコンピュータに、接続する通信部と、接続して読み出した該客に関する薬の成分情報と、前記ＰＯＳ端末の前記送信部から送信された薬の成分情報とに基づいて、前記禁忌データベースから薬の組み合わせの適否情報を読み出す読出部と、この読出部により読み出した適否情報を、客情報及び薬の成分情報を送信してきたＰＯＳ端末へ送信する送信部と、を備えたことを特徴とする配合禁忌提示ＰＯＳシステム。
【発明の詳細な説明】
【技術分野】
【０００１】
本発明は、調剤薬局では市販薬局の購入履歴を参照して、市販薬局では調剤薬局の処方履歴を参照して、薬の飲み合わせの適否を提示することができる配合禁忌提示ＰＯＳシステムに関するものである。
【背景技術】
【０００２】
ＰＯＳ（Point Of Sale:販売時点情報）システムは、商品名・価格・数量・日時といった商品情報や入力することで購入者の年齢層・性別といった顧客情報を販売時点でデータ収集し、これらに基づいて商品と顧客の各々あるいは関連付けた把握と管理ができるので店舗や商品取引の場で普及している。
【０００３】
ＰＯＳシステムは、主に該ＰＯＳシステムに付随するＰＯＳ端末（ＰＯＳレジスタとも称す）から上記のとおり販売時に様々な情報を入手することができるが、昨今では、購買者に対して下記の特許文献１に示されるように顧客に適切な情報を提供することも行われるようになってきている。
【０００４】
特許文献１には、薬局サーバからＰＯＳシステムへ提供する情報をレセプトコンピュータにも転送して、該レセプトコンピュータにおいてその顧客の調剤履歴に対して今回顧客が購入する薬品（商品）と組み合わせることで相互作用を起こすか否かを判断して、その相互作用の可不可の情報をＰＯＳ端末を介して顧客に提供することが示されている。
【０００５】
しかし、特許文献１は、薬局サーバ（市販薬局）からレセプトコンピュータ（調剤薬局）へ市販薬局におけるＰＯＳシステムへ提供する情報を転送することができたが、この逆で、レセプトコンピュータから薬局サーバへ調剤薬局における例えばＰＯＳシステムへ提供する情報を転送する構成ではなかった。
【０００６】
この結果、市販薬局では薬品の組み合わせの相互作用に関する情報は得られても、調剤薬局では薬品の組み合わせの相互作用に関する情報を得ることができず、例えば病院で提示された処方箋に基づいて調剤薬局で薬を調剤しようとする際に、その者が市販薬剤の服用履歴等が判らないために、適切な調剤ができない場合がある。
【０００７】
ちなみに、レセプトコンピュータには、調剤薬局で用いる各種の薬品の情報は有しているものの、市販薬に関する配合成分などの情報は一切有していない。このことからも、特許文献１においては、調剤薬局では処方する薬品と市販薬の配合成分との組み合わせの相互作用に関する情報を得ることができなかったのである。
【先行技術文献】
【特許文献】
【０００８】
【特許文献１】特開２００２−２３６７４９号公報
【発明の概要】
【発明が解決しようとする課題】
【０００９】
解決しようとする問題点は、特許文献１では、調剤薬局におけるレセプトコンピュータには市販薬剤に関する配合成分等の情報がないので、該調剤薬局では薬品の組み合わせの相互作用に関する情報を得ることができない点である。
【課題を解決するための手段】
【００１０】
本発明は、調剤薬局側における調剤薬の薬品データベースを有するレセプトコンピュータと、市販薬局側における市販薬の成分データベースを有するＰＯＳサーバと、これらレセプトコンピュータ及びＰＯＳサーバは相互に通信可能とせず、前記レセプトコンピュータと前記ＰＯＳサーバとに通信可能で禁忌データベースを有したホストコンピュータと、調剤薬局側に設置された際には前記レセプトコンピュータに、市販薬局側に設置された際には前記ＰＯＳサーバに、それぞれ通信可能とされると共に前記ホストコンピュータとの通信を可能としたＰＯＳ端末とにより構成され、前記ＰＯＳ端末には、客情報、市販薬又は調剤薬の情報を入力する入力部と、この入力部で入力された情報に基づいて、調剤薬局側であれば前記薬品データベースから、市販薬局側であれば前記成分データベースから、薬の成分情報を読み出す読出部と、この読出部により読み出した薬の成分情報を客情報と共に前記ホストコンピュータへ送る送信部と、前記ホストコンピュータから出力された情報を受信する受信部と、精算及び成分と薬品の組み合わせの適否の情報を表示する表示部と、を備え、さらに、前記ホストコンピュータには、調剤薬局側からの客情報の問い合わせに基づいて市販薬局側に有する当該客に関する薬の成分情報を読み出すべく前記ＰＯＳサーバに、市販薬局側からの客情報の問い合わせに基づいて調剤薬局側に有する当該客に関する薬の成分情報を読み出すべく前記レセプトコンピュータに、接続する通信部と、接続して読み出した該客に関する薬の成分情報と、前記ＰＯＳ端末の前記送信部から送信された薬の成分情報とに基づいて、前記禁忌データベースから薬の組み合わせの適否情報を読み出す読出部と、この読出部により読み出した適否情報を、客情報及び薬の成分情報を送信してきたＰＯＳ端末へ送信する送信部と、を備えたことを最も主要な特徴とする。
【発明の効果】
【００１１】
本発明は、市販薬局で一般市販薬を購入しようとする際、例えば直近の調剤薬局で処方された薬品の成分と、該市販薬の配合成分との組み合わせ（飲み合わせ）の適否、また、この逆で調剤薬局で調剤してもらう際、例えば直近の市販薬局で購入した市販薬の配合成分と、該調剤しようとする薬品の配合成分との組み合わせ（飲み合わせ）の適否の情報を提示できるから、例えば一方又は相互の作用を打ち消してしまうとか、副作用を生じる可能性があるとかといった適否の情報を提示することができるから、きめ細やかなサービスと適切な薬の提供が可能になるという利点がある。
【図面の簡単な説明】
【００１２】
【図１】図１は、本発明の配合禁忌提示ＰＯＳシステムの概略構成を示す図である。（実施例１）
【図２】図２は、本発明の配合禁忌提示ＰＯＳシステムを示し、（ａ）はＰＯＳサーバ、（ｂ）はレセプトコンピュータ、（ｃ）はホストコンピュータ、の概略構成を示す図である。（実施例１）
【図３】図３は、本発明の配合禁忌提示ＰＯＳシステムにおけるＰＯＳ端末を示す図である。（実施例１）
【図４】図４は、本発明の配合禁忌提示ＰＯＳシステムにおける市販薬局側の動作を示す図である。（実施例１）
【図５】図５は、本発明の配合禁忌提示ＰＯＳシステムにおける調剤薬局側の動作を示す図である。（実施例１）
【発明を実施するための形態】
【００１３】
本発明は図１〜図８に示す形態により実施される。本発明の配合禁忌提示ＰＯＳシステム１（以下、ＰＯＳシステム１と記す）は、市販薬局側におけるＰＯＳサーバ２と、調剤薬局側におけるレセプトコンピュータ３と、ＰＯＳサーバ２とレセプトコンピュータ３ととに通信可能なホストコンピュータ４と、市販薬局側に設置された際にはＰＯＳサーバ２に、調剤薬局側に設置された際にはレセプトコンピュータ３に、それぞれ通信可能とされると共にホストコンピュータ４との通信を可能としたＰＯＳ端末５とにより構成される。
【００１４】
ＰＯＳサーバ２は、図２（ａ）に示すように、本発明で必要となるデータベース、その他プログラムを格納したハードディスク２Ａ、ホストコンピュータ４及びＰＯＳ端末５との通信を行う通信部２Ｂ、全体を制御するための制御部２Ｃ、及びキーボード、マウスなどにより各種情報を入力するための入力部２Ｄ、ディスプレイ、プリンタなどにより各種情報を出力するための出力部２Ｅを備えている。
【００１５】
ＰＯＳサーバ２におけるハードディスク２Ａには、「会員」として登録されている顧客の情報で構成される顧客データベース２Ａａと、商品の情報で構成される商品データベース２Ａｂと、商品の成分の情報で構成される成分データベース２Ａｃと、を少なくとも有している。
【００１６】
ＰＯＳサーバ２における通信部２Ｂは、ＰＯＳ端末５との情報信号の送受信が可能とされると共にホストコンピュータ４との情報信号の送受信が可能とされている。本発明におけるＰＯＳサーバ２から見た、ホストコンピュータ４を介したレセプトコンピュータ３は、該レセプトコンピュータからの「客情報の問い合わせに関する出力を行う」点において、市販薬局側で設置したＰＯＳ端末５の「客情報の問い合わせに関する出力を行う」点で同じなので、市販薬局側におけるＰＯＳ端末５と同様の通信が行えればよい。
【００１７】
レセプトコンピュータ３は、図２（ｂ）に示すように、本発明で必要となるデータベース、その他プログラムを格納したハードディスク３Ａ、ホストコンピュータ４及びＰＯＳ端末５との通信を行う通信部３Ｂ、全体を制御するための制御部３Ｃ、及びキーボード、マウスなどにより各種情報を入力するための入力部３Ｄ、ディスプレイ、プリンタなどにより各種情報を出力するための出力部３Ｅを備えている。
【００１８】
レセプトコンピュータ３におけるハードディスク３Ａには、「保険加入者」として登録されている保険加入者の情報で構成される加入者データベース３Ａａと、調剤薬品の情報で構成される薬品データベース３Ａｂと、薬品に対する保険点数の情報で構成される加点データベース３Ａｃと、を少なくとも有している。
【００１９】
レセプトコンピュータ３における通信部３Ｂは、ＰＯＳ端末５との情報信号の送受信が可能とされると共にホストコンピュータ４との情報信号の送受信が可能とされている。本発明におけるレセプトコンピュータ３から見た、ホストコンピュータ４を介したＰＯＳサーバ２は、該ＰＯＳサーバ２からの「客情報の問い合わせに関する出力を行う」点において、調剤薬局側で設置したＰＯＳ端末５の「客情報の問い合わせに関する出力を行う」点で同じなので、調剤薬局側におけるＰＯＳ端末５と同様の通信が行えればよい。
【００２０】
ホストコンピュータ４は、図２（ｃ）に示すように、本発明で必要となるデータベース、その他プログラムを格納したハードディスク４Ａ、ＰＯＳサーバ２、レセプトコンピュータ３、及びＰＯＳ端末５との通信を行う通信部４Ｂ、全体を制御するための制御部４Ｃ、及びキーボード、マウスなどにより各種情報を入力するための入力部４Ｄ、ディスプレイ、プリンタなどにより各種情報を出力するための出力部４Ｅ、市販薬局側のＰＯＳ端末５からの問い合わせに応じてレセプトコンピュータ３から、調剤薬局側のＰＯＳ端末５からの問い合わせに応じてＰＯＳサーバ２から、それぞれ情報を読み出す読出部４Ｆと、を備えている。
【００２１】
ホストコンピュータ４におけるハードディスク４Ａには、ＰＯＳサーバ２に有している成分データベース２Ａｂと同様の成分データベース４Ａａと、レセプトコンピュータ３に有している薬品データベース３Ａｂと同様の薬品データベース４Ａｂと、これら市販薬の成分と調剤薬品との組み合わせ（飲み合わせ）の適否で構成される禁忌データベース４Ａｃと、を少なくとも有している。
【００２２】
ホストコンピュータ４における通信部４Ｂは、ＰＯＳ端末５との情報信号の送受信が可能とされると共にこのＰＯＳ端末５からの客情報の問い合わせに応じて、市販薬局側に設置されたＰＯＳ端末５からの要求に応じてレセプトコンピュータ３へ、調剤薬局側に設置されたＰＯＳ端末５からの客（加入者）情報の要求に応じてＰＯＳサーバ２へ、それぞれ情報信号の送受信が可能とされている。
【００２３】
要するに、本発明におけるホストコンピュータ４は、市販薬局側から見れば、ＰＯＳサーバ２において客情報に関連付けられた商品情報を商品データベース２Ａｂから読み出すのと同様に、該ホストコンピュータ４を介してレセプトコンピュータ４から客（加入者）の問い合わせがあった際にこれに応じて商品データベース２Ａｂから客情報に関連付けられた情報を商品データベース２Ａｂから読み出す点で、市販薬局側のＰＯＳ端末５と同等の位置付けとなる。
【００２４】
また、本発明のホストコンピュータ４は、調剤薬局側から見れば、レセプトコンピュータ３において加入者情報に関連付けられた薬品情報を薬品データベース３Ａｂから読み出すのと同様に、該ホストコンピュータ４を介してＰＯＳサーバ２から加入者（客）の問い合わせがあった際にこれに応じて薬品データベース３Ａｂから加入者情報に関連付けられた情報を薬品データベース３Ａｂから読み出す点で、調剤薬局側のＰＯＳ端末５と同等の位置付けとなる。
【００２５】
つまり、本発明の最大のポイントは、ＰＯＳサーバ２、レセプトコンピュータ３は、基本的にほぼ既存の構成で大幅な変更を要せずに、後述するＰＯＳ端末５のみの入れ替え、あるいは新規導入、かつホストコンピュータ４からの上記市販薬局側、調剤薬局側、の各々におけるＰＯＳ端末５による通信と同様の通信を許可するように構成すればよいという点である。
【００２６】
ここで、レセプトコンピュータ３とＰＯＳサーバ２とを相互に通信可能としない理由について説明する。例えばこうした相互通信が可能となるように構成する場合、ホストコンピュータ４を要しない点で全体として構成を簡素化できる反面、特に一定の規制が設けられたレセプトコンピュータ３の構成については、例えば禁忌データベースを備える必要があったり、別途ＰＯＳサーバ２からの個別の要求に対応できるように構成（変更）しなければならず、既存の構成からかなり大きな仕様変更が必要となる点で、現状、困難である。
【００２７】
そこで、上述のとおり、調剤薬局側、市販薬局側、各々におけるＰＯＳ端末５と同様に、加入者又は客の情報に関する薬品又は商品の情報を読み出すことが可能なホストコンピュータ４を該レセプトコンピュータ３とＰＯＳサーバ２との間に介在させて、かつ該レセプトコンピュータ３、該ＰＯＳサーバ２から、該ホストコンピュータ４を介して通信可能としておけば、レセプトコンピュータ３とＰＯＳサーバ２自体の構成を特段変える必要がないのである。
【００２８】
したがって、本発明のＰＯＳ端末５は、図３に示すように、概略としては、市販薬局側に設置された場合にはＰＯＳサーバ２と、調剤薬局側に設置された場合にはレセプトコンピュータ３と、通信可能とされると共に、ホストコンピュータ４との通信も可能とされていることが特徴となる。
【００２９】
すなわちＰＯＳ端末５は、市販薬局側、調剤薬局側に設置した場合において共通して、客情報、市販薬又は調剤薬の情報を入力する例えばスキャナ、キーボード、マウス（クリック）などによる入力部５Ａと、この入力部で入力された情報に基づいて、調剤薬局側であればレセプトコンピュータ３の薬品データベース３Ａｂから、市販薬局側であればＰＯＳサーバ２の商品データベース２Ａｂから、薬の成分情報を読み出す読出部５Ｂと、この読出部５Ｂから読み出した薬の成分情報を客情報と共にホストコンピュータ４へ送る送信部５Ｃと、ホストコンピュータ４からの情報を受信する受信部５Ｄと、精算等の情報を表示する表示部５Ｅと、市販薬局側ではＰＯＳサーバ２と、調剤薬局側ではレセプトコンピュータ３と、通信を行う通信部５Ｆと、全体を制御する制御部５Ｇと、を備えている。
【００３０】
こうした構成とされた本発明のＰＯＳシステム１は、具体的に次のように動作する。まず、市販薬局における動作を図４を参照して説明する。市販薬局に客が来店し、店内の商品（薬）を選んで、精算すべくレジに行く（処理１、以下、＃１と示す）。レジにおいて、売り子はＰＯＳ端末５をＰＯＳサーバ２に接続してスタンバイ状態とする（＃２）。続いて、例えばその客が顧客（登録されている客）であれば、会員カードを入力部５Ａとして例えばスキャナーでスキャンして、ＰＯＳ端末５に入力する（＃３でＹｅｓ）。
【００３１】
一方、顧客でなけければ（＃３でＮｏ）、客の例えばレセプトコンピュータ４に登録されている情報、例えば保険証があれば保険証を入力部５Ａでスキャンしたり、保険証がなければ名前や住所などを聞いて、これを入力部５ＡによりＰＯＳ端末５に入力し（＃４）、処理は＃６へ進む。
【００３２】
なお、＃４において、市販薬局におけるＰＯＳ端末５に入力される、後述＃６でホストコンピュータ４を介してレセプトコンピュータ２へ接続するための情報は、上記の保険証の番号、名前や住所の他に、生年月日、電話番号、のいずれか２つあるいは３つを聞いて入力するように条件設定しておくことで、正確な保険加入者の特定が可能となる。
【００３３】
市販薬局において、その客が顧客であった場合（＃３でＹｅｓ）、スキャンした会員カードの情報に基づいて、ＰＯＳサーバ２の顧客データベース２Ａａから客の来店履歴などの情報を読み出し（＃５）、処理は＃６へ進む。
【００３４】
＃６では、＃４で入力された情報又は＃３でスキャンした顧客の情報に基づいて、この情報のうちレセプトコンピュータ３に接続可能な情報、つまり調剤薬局におけるＰＯＳ端末５からレセプトコンピュータ３へ接続するための情報、を市販薬局側のＰＯＳ端末５、ホストコンピュータ４を介して該レセプトコンピュータ３へ送り、直接的にはホストコンピュータ４がレセプトコンピュータ４と接続して、該レセプトコンピュータ３よりその客の調剤履歴を読み出す。
【００３５】
そして、＃６の後、市販薬局側において購入する商品について精算すべく商品をスキャンし（＃７）、商品についてスキャンが完了すると（＃７でＹｅｓ）、市販薬局側のＰＯＳ端末５はＰＯＳサーバ２から商品データベース２Ａａ、成分データベース２Ａｂから、スキャンした商品に関する情報を読出部５Ｂにより読み出し（＃８）、金額情報を除く、成分データベース２Ａｂから読み出した情報をホストコンピュータ４へ送る（＃９）。
【００３６】
また、ホストコンピュータ４は、読出部４Ｆにより、調剤薬局側のレセプトコンピュータ３のから読み出したその客に関する調剤履歴情報（当然ながら存在する場合に限る）のうち薬品情報が読み出されている（＃９）。
【００３７】
なお、市販薬局側及び調剤薬局側のＰＯＳ端末５は、ＰＯＳサーバ２の商品データベース２Ａｂ、成分データベース２Ａｃから読み出す情報、及び（ホストコンピュータ４を介した）レセプトコンピュータ３の薬品データベース３Ａｂから読み出す情報、については、予め設定（プログラム）により、例えば直近３日とか、直近１週間とか、直近１ヶ月とか、といったように、条件を付与することができる。このようにしておけば、通信時間が短縮されると共にＰＯＳ端末５、ホストコンピュータ４、レセプトコンピュータ３、ＰＯＳサーバ２、における処理負荷も軽減され、レジにおいて迅速な会計が行える。
【００３８】
また、市販薬局側及び調剤薬局側のＰＯＳ端末５は、上記の購入日、調剤日（投薬日）の他、購入商品の個数や１回の服用量、調剤された薬品の日数や１回の服用量、といった情報を読み出すように条件を付与することもできる。このようにすれば、市販薬や調剤薬の１回の服用量に基づいて、さらには上記期間の条件と併せれば、正確な禁忌情報を提示することができるようになる。
【００３９】
＃９において、ホストコンピュータ４は、市販薬局側のＰＯＳ端末５から送られた今購入しようとする商品の成分情報に基づいて成分データベース４Ａｂから当該成分に関する情報を読み出し、一方、レセプトコンピュータ３から読み出した調剤履歴情報の薬品情報に基づいて薬品データベース４Ａａから当該薬品に関する情報を読み出す。
【００４０】
その後、ホストコンピュータ４は、成分データベース４Ａｂから当該成分に関する情報、薬品データベース４Ａａから当該薬品に関する情報、に基づいて禁忌データベース４Ａｃから、それら成分と薬品の組み合わせ（飲み合わせ）の適否の情報を読み出す（＃１０）。そして、この適否の情報を市販薬局のいま問い合わせのあったＰＯＳ端末５に向けて出力する（＃１１）。
【００４１】
市販薬局側のＰＯＳ端末５に送られた適否情報は、該ＰＯＳ端末５において、表示部５Ｅにより出力される（＃１２）。例えば、今、その顧客が、３日前に市販薬の風邪薬を購入して、今回別の風邪薬を購入しようとしているが、１日前に耳鼻科の医者にかかって鼻炎薬を調剤薬局にて処方されていた場合、今回の別の風邪薬の配合成分が、調剤薬局で処方された鼻炎薬の成分に対して飲み合わせが不適である旨、レシート、ディスプレイ、お薬手帳に貼るシート、等に出力される。その後、いま、市販薬局で選択した商品について精算し（＃１３）、処理を終了する。
【００４２】
不適とは、相互あるいは一方の薬の成分の作用を打ち消したり、相互又は一方の薬の成分との反応で副作用が生じるなどといったことを意味する。そして、こうした情報を提示することができるので、市販薬を購入しようとする客（又は顧客）は、適切な市販薬を購入することができると共に、服用（購入）に関して注意を払うことができる。
【００４３】
一方、本発明のＰＯＳシステム１は、調剤薬局においては図５に示すように動作する。調剤薬局に例えば医者からの処方箋を持って薬を調剤してもらうために来店すると（＃２１）、薬剤師は、保険証の番号や名前などの保険加入者情報を入力部５ＡからＰＯＳ端末５に入力する（＃２２でＹｅｓ）。 
【００４４】
上記＃１２で入力された加入者情報に基づいて調剤薬局のＰＯＳ端末５は、一方でレセプトコンピュータ３に接続して、加入者データベース３Ａａから加入者の情報を読み出す（＃２３）。また、調剤薬局のＰＯＳ端末５は、他方では上記加入者の情報に基づいて、該ＰＯＳ端末５からホストコンピュータ４を介してＰＯＳサーバ２へ接続して当該加入者（ＰＯＳサーバ２においては顧客）に関する市販薬の購入履歴に関する情報を問い合わせる（＃２４）。
【００４５】
＃２４において調剤薬局のＰＯＳ端末５から、ホストコンピュータ４を介してＰＯＳサーバ２に接続して顧客の情報を読み出す際の条件は、上記のとおり、住所、氏名、生年月日、電話番号のいずれか２つあるいは３つを聞いて入力するように条件設定しておくことで、正確な顧客の特定が可能となる。また、上記同様、ＰＯＳサーバ２から読み出す情報の条件として、期間や量を付与しておけば、１回の服用量に基づいて、さらには期間の条件と併せれば、正確な禁忌情報を提示することができるようになる。
【００４６】
調剤（＃２５）が行われた後、調剤薬局のＰＯＳ端末５は、この調剤に用いた薬品に関してレセプトコンピュータ３の薬品データベース３Ａｂから薬品についての情報を読み出す（＃２６）。調剤薬局のＰＯＳ端末５は、レセプトコンピュータ３の薬品データベース３Ａｂから読み出した調剤に要した薬品に関する情報をホストコンピュータ３へ送る。ホストコンピュータ３はこの送られた薬品に関する情報に基づいて該ホストコンピュータ４における薬品データベース４Ａｂから成分情報を読み出し（＃２７）、処理は＃２８へ進む。
【００４７】
ホストコンピュータ３は、＃２４で調剤薬局のＰＯＳ端末５からホストコンピュータ４を介してＰＯＳサーバ２へ問い合わせた、市販薬の購入履歴中の商品に関する成分情報に基づいて該ホストコンピュータ４における成分データベース４Ａａから成分情報を読み出し（＃２７）、処理は＃２８へ進む。
【００４８】
＃２８では、ホストコンピュータ４において読み出した、成分データベース４Ａｂの当該成分に関する情報、薬品データベース４Ａａの当該薬品に関する情報、に基づいて禁忌データベース４Ａｃから、それら成分と薬品の組み合わせ（飲み合わせ）の適否の情報を読み出す。そして、この適否の情報を調剤薬局側のいま問い合わせのあったＰＯＳ端末５に向けて出力する（＃２９）。
【００４９】
ＰＯＳ端末５に送られた適否情報は、該ＰＯＳ端末５において、表示部５Ｄにより出力される（＃３０）。例えば、今、その顧客が、３日前に市販薬の風邪薬を購入して、今回耳鼻科の医者にかかって鼻炎薬を調剤薬局にて処方されていた場合、今回の調剤した鼻炎薬の成分が市販薬の風邪薬との成分に対して飲み合わせが不適である旨、レシート、ディスプレイ、お薬手帳に貼るシート、等に出力される。
【００５０】
その後、ＰＯＳ端末５は、いま調剤された薬品に基づいて、レセプトコンピュータ３の加点データベース３Ａｃから医療加点に関する情報を読み出し、これに基づいて精算が行われ（＃３１）、処理を終了する。
【００５１】
なお、以上の説明において、市販薬局での図４の処理においてレセプトコンピュータ３にその客の調剤に関する情報がない場合、また、調剤薬局での図５の処理においてＰＯＳサーバ２にその加入者の購入商品に関する情報がない場合、それぞれ市販薬局ではホストコンピュータ４において市販薬局のＰＯＳ端末５から送られた商品情報に基づいて、調剤薬局ではホストコンピュータ４において調剤薬局のＰＯＳ端末５から送られた薬品情報に基づいて、一般的な飲み合わせの禁忌情報を回答する。
【００５２】
このように、本発明は、市販薬局における顧客、調剤薬局における加入者、でなくとも薬を購入又は調剤される者に対して、飲み合わせの禁忌情報を適確に提示できることができる。もちろん、顧客であり加入者であれば、上記のように直近の購入履歴、調剤履歴、に基づいてより適確な情報を提示できる。
【符号の説明】
【００５３】
１  （配合禁忌提示）ＰＯＳシステム
２  ＰＯＳサーバ
２Ａａ  顧客データベース
２Ａｂ  商品データベース
２Ａｃ  成分データベース
３  レセプトコンピュータ
３Ａａ  加入者データベース
３Ａｂ  薬品データベース
３Ａｃ  加点データベース
４  ホストコンピュータ
４Ａａ  成分データベース
４Ａｂ  薬品データベース
４Ａｃ  禁忌データベース
５  ＰＯＳ端末
５Ａ  入力部
５Ｂ  読出部
５Ｃ  送信部
５Ｄ  受信部
５Ｅ  表示部
５Ｆ  通信部
５Ｇ  制御部
【図１】
0005616930.tif 000002
【図２】
0005616930.tif 000003
【図３】
0005616930.tif 000004
【図４】
0005616930.tif 000005
【図５】
0005616930.tif 000006